(57)【特許請求の範囲】
【請求項１】
基地局から送信されてくるＰＢＣＨ（Physical Broadcast Channel）のデータを復号する復号手段と、
上記ＰＢＣＨのデータのすべての値が０であるか否かを判定する判定手段と、
上記ＰＢＣＨのデータのすべての値が０であると判定された場合、上記ＰＢＣＨのデータを破棄する破棄手段と
を有することを特徴とする受信装置。
【請求項２】
請求項１に記載の受信装置において、
前記判定手段は、前記ＰＢＣＨのデータに誤りがあるか否かを判定し、前記ＰＢＣＨのデータに誤りがないと判定された場合、前記ＰＢＣＨのデータのすべての値が０であるか否かを判定する
ことを特徴とする受信装置。
【請求項３】
請求項２に記載の受信装置において、
前記判定手段は、巡回冗長検査により、前記ＰＢＣＨのデータに誤りがあるか否かを判定する
ことを特徴とする受信装置。
【請求項４】
請求項２に記載の受信装置において、
前記破棄手段は、前記ＰＢＣＨのデータに誤りがあると判定された場合、前記ＰＢＣＨのデータを破棄する
ことを特徴とする受信装置。
【請求項５】
基地局から送信されてくるＰＢＣＨのデータを復号する復号ステップと、
上記ＰＢＣＨのデータのすべての値が０であるか否かを判定する判定ステップと、
上記ＰＢＣＨのデータのすべての値が０であると判定された場合、上記ＰＢＣＨのデータを破棄する破棄ステップと
を含むことを特徴とする受信方法。
【請求項６】
基地局から送信されてきて、復号されたＰＢＣＨのデータのすべての値が０であるか否かを判定する判定ステップと、
上記ＰＢＣＨのデータのすべての値が０であると判定された場合、上記ＰＢＣＨのデータを破棄する破棄ステップと
を含む処理をコンピュータに行わせるプログラム。
【請求項７】
基地局と受信装置とからなる通信システムにおいて、
上記基地局は、
spare領域のいずれかのビットに１の値が設定されているＰＢＣＨのデータを送信する送信手段を有し、
上記受信装置は、
上記基地局から送信されてくるＰＢＣＨのデータを復号する復号手段と、
上記ＰＢＣＨのデータのすべての値が０であるか否かを判定する判定手段と、
上記ＰＢＣＨのデータのすべての値が０であると判定された場合、上記ＰＢＣＨのデータを破棄する破棄手段と
を有することを特徴とする通信システム。
【発明の詳細な説明】
【技術分野】
【０００１】
本発明は受信装置および受信方法、プログラム、並びに通信システムに関する。
【背景技術】
【０００２】
現在、３ＧＰＰ（Third Generation Partnership Project）において、いわゆるモバイル通信に関し、各種の規格が検討されている。
【０００３】
従来、移動局が一基地局から他基地局のエリア内に移動したとき、移動先の他基地局から移動局に対して、実際の情報の送信に先立って、基地局の切り替えを通知するためのダミー信号を送信し、移動局がダミー信号の受信に呼応して、ＨＳ−ＳＣＣＨ（Ｈｉｇｈ
Ｓｐｅｅｄ Ｓｈａｒｅｄ Ｃｏｎｔｒｏｌ Ｃｈａｎｎｅｌ）信号のｐａｒｔ２情報までをデコードし、ｐａｒｔ２情報に含まれるＣＲＣを検査し、ＣＲＣが正常であった場合に、基地局の切り替えを行うものがある（例えば、特許文献１参照）。
【先行技術文献】
【特許文献】
【０００４】
【特許文献１】国際公開第２００７／７７９７５号パンフレット
【発明の概要】
【発明が解決しようとする課題】
【０００５】
しかしながら、移動局である受信端末装置において、実際には存在しない基地局や環境が悪く受信困難な基地局からの信号の入力レベルが低いために、3GPP TS36.211, 212, 331で規定されるＰＢＣＨ (Physical Broadcast Channel)の復号結果の値のすべてが、０となってしまうことがある。この場合、受信端末装置は、実際には存在しない基地局が存在すると誤認識してしまうため、正しい基地局の捕捉が遅くなってしまう。
【０００６】
そこで、本発明は、上記課題を解決すること、すなわち、無線通信の環境が悪い場合であっても、正しい基地局をより早く捕捉できる受信装置および受信方法、プログラム、並びに通信システムを提供することを目的とする。
【課題を解決するための手段】
【０００７】
上記課題を解決するために、本発明の受信装置の一側面は、基地局から送信されてくるＰＢＣＨのデータを復号する復号手段と、ＰＢＣＨのデータのすべての値が０であるか否かを判定する判定手段と、ＰＢＣＨのデータのすべての値が０であると判定された場合、ＰＢＣＨのデータを破棄する破棄手段とを有するものとされている。
【０００８】
また、本発明の受信装置の一側面は、上述の構成に加えて、判定手段が、ＰＢＣＨのデータに誤りがあるか否かを判定し、ＰＢＣＨのデータに誤りがないと判定された場合、ＰＢＣＨのデータのすべての値が０であるか否かを判定するものとされている。
【０００９】
さらに、本発明の受信装置の一側面は、上述の構成に加えて、判定手段が、巡回冗長検査により、ＰＢＣＨのデータに誤りがあるか否かを判定するものとされている。
【００１０】
さらにまた、本発明の受信装置の一側面は、破棄手段が、ＰＢＣＨのデータに誤りがあると判定された場合、ＰＢＣＨのデータを破棄するものとされている。
【００１１】
また、本発明の受信方法の一側面は、基地局から送信されてくるＰＢＣＨのデータを復号する復号ステップと、ＰＢＣＨのデータのすべての値が０であるか否かを判定する判定ステップと、ＰＢＣＨのデータのすべての値が０であると判定された場合、ＰＢＣＨのデータを破棄する破棄ステップとを含むものとされている。
【００１２】
さらに、本発明のプログラムの一側面は、コンピュータに、基地局から送信されてきて、復号されたＰＢＣＨのデータのすべての値が０であるか否かを判定する判定ステップと、ＰＢＣＨのデータのすべての値が０であると判定された場合、ＰＢＣＨのデータを破棄する破棄ステップとを含む処理を行わせるものとされている。
【００１３】
さらにまた、本発明の通信システムの一側面は、基地局が、spare領域のいずれかのビットに１の値が設定されているＰＢＣＨのデータを送信する送信手段を有し、受信装置が、基地局から送信されてくるＰＢＣＨのデータを復号する復号手段と、ＰＢＣＨのデータのすべての値が０であるか否かを判定する判定手段と、ＰＢＣＨのデータのすべての値が０であると判定された場合、ＰＢＣＨのデータを破棄する破棄手段とを有するものとされている。
【発明の効果】
【００１４】
本発明の一側面によれば、無線通信の環境が悪い場合であっても、正しい基地局をより早く捕捉できる受信装置および受信方法、プログラム、並びに通信システムを提供することができる。
【図面の簡単な説明】
【００１５】
【図１】本発明の一実施の形態の通信システムの構成を示す図である。
【図２】ＰＢＣＨのデータのフォーマットを示す図である。
【図３】ＰＢＣＨのデータの有効の判定の処理を説明するフローチャートである。
【図４】コンピュータのハードウェアの構成例を示すブロック図である。
【発明を実施するための形態】
【００１６】
以下、本発明の一実施の形態の通信システムについて、図１〜図４を参照しながら説明する。
【００１７】
図１は、本発明の一実施の形態の通信システムの構成を示す図である。通信システムは、基地局１０１および端末装置１０２からなり、3GPP TS36.211,212,331の規定に準拠した通信方式により、相互に通信する。基地局１０１は、端末装置１０２に各種の信号を無線を介して送信する。端末装置１０２は、受信装置の一例であり、基地局１０１から送信されてきた各種の信号を受信する。以下、端末装置１０２において受信された信号を受信信号と称する。
【００１８】
基地局１０１は、送信器１２１を含むように構成される。送信器１２１は、ＳＣＨ（Synchronization Channel）信号、ＰＢＣＨ信号、および制御信号などを含む信号を無線を介して送信する。
【００１９】
端末装置１０２は、ＰＢＣＨ復調・復号器２０１、有効データ判定器２０２、および破棄器２０３を含むように構成される。
【００２０】
ＰＢＣＨ復調・復号器２０１は、ＳＣＨ信号、ＰＢＣＨ信号、および制御信号などに分離された受信信号のうち、ＰＢＣＨ信号を復調し、ＰＢＣＨのデータを復号する。
【００２１】
ここで、ＰＢＣＨのデータについて説明する。図２は、ＰＢＣＨのデータのフォーマットを示す図である。ＰＢＣＨのデータには、先頭から、３ビットの下り帯域幅（dl-Bandwidth）データ３０１、１ビットのphich-Durationデータ３０２、２ビットのphich-Resourceデータ３０３、８ビットのsystemFrameNumber(ＳＦＮ)データ３０４、１０ビットのspare領域３０５、および１６ビットの巡回冗長検査（ＣＲＣ: Cyclic Redundancy Check）符号３０６が配置される。
【００２２】
下り帯域幅データ３０１は、下り帯域幅が、1.4MHz(n6),3MHz(n15),5MHz(n25),10MHz(n50),15MHz(n75)、または20MHz(n100)のいずれかであることを示す。phich-Durationデータ３０２は、normalまたはextendedのいずれかを示す。phich-Resourceデータ３０３は、1/6,1/2,1、または2を示す。systemFrameNumber(ＳＦＮ)データ３０４は、0〜255の値をとる。巡回冗長検査符号３０６には、ＣＲＣ以外の40bitと送信アンテナ数によりTS36.212の5.1.1および5.3.1.1で規定されるＣＲＣ bitが付加される。
【００２３】
ＰＢＣＨのデータのすべての値が０である場合、端末装置１０２において、送信アンテナ数=1、下り帯域幅(dl-Bandwidth)=1.4MHz(n6)，phich-Duration=normal，phich-Resource=1/6，SFN=0、およびspare=0の基地局が存在すると認識されることになる。
【００２４】
図１に戻り、有効データ判定器２０２は、復号されたＰＢＣＨのデータが有効であるか否かを判定する。すなわち、有効データ判定器２０２は、復号されたＰＢＣＨのデータに含まれている巡回冗長検査符号３０６を用いた巡回冗長検査（ＣＲＣ: Cyclic Redundancy Check）により、ＰＢＣＨのデータに誤りがあるか否かを判定する。また、有効データ判定器２０２は、ＰＢＣＨのデータに誤りがないと判定された場合、ＰＢＣＨのデータのすべての値が０であるか否かを判定する。
【００２５】
破棄器２０３は、ＰＢＣＨのデータに誤りがあると判定された場合、ＰＢＣＨのデータを破棄する。また、破棄器２０３は、ＰＢＣＨのデータのすべての値が０であると判定された場合、ＰＢＣＨのデータを破棄する。例えば、破棄器２０３は、図示せぬバッファに記憶されたＰＢＣＨのデータを消去したり、端末装置１０２の内部で伝送されるＰＢＣＨのデータを通過させないようにフィルタリングすることによりＰＢＣＨのデータを削除したりすることで、ＰＢＣＨのデータを破棄する。なお、ＰＢＣＨのデータに誤りがないと判定され、ＰＢＣＨのデータのいずれかの値が１であると判定された場合、破棄器２０３は、ＰＢＣＨのデータをそのまま下段に通過させる。
【００２６】
図３は、ＰＢＣＨのデータの有効の判定の処理を説明するフローチャートである。ステップＳ１１において、ＰＢＣＨ復調・復号器２０１は、ＰＢＣＨ信号を復調し、ＰＢＣＨのデータを復号する。ＰＢＣＨ復調・復号器２０１は、復号により得られたＰＢＣＨのデータを有効データ判定器２０２に供給する。
【００２７】
ステップＳ１２において、有効データ判定器２０２は、巡回冗長検査符号３０６を用いた巡回冗長検査により、ＰＢＣＨのデータに誤りがあるか否かを判定する。ステップＳ１２において、ＰＢＣＨのデータに誤りがないと判定された場合、手続きはステップＳ１３に進み、有効データ判定器２０２は、ＰＢＣＨのデータのすべての値が０であるか否かを判定する。
【００２８】
ステップＳ１３において、ＰＢＣＨのデータのいずれかの値が１であると判定された場合、手続きはステップＳ１４に進み、有効データ判定器２０２は、ＰＢＣＨのデータを有効として、破棄器２０３などの下段に通知して、ＰＢＣＨのデータの有効の判定の処理は終了する。この場合、破棄器２０３は、ＰＢＣＨのデータをそのまま下段に供給する。
【００２９】
ステップＳ１２において、ＰＢＣＨのデータに誤りがあると判定された場合、手続きはステップＳ１５に進み、破棄器２０３は、ＰＢＣＨのデータを無効として、破棄し、ＰＢＣＨのデータの有効の判定の処理は終了する。
【００３０】
また、ステップＳ１３において、ＰＢＣＨのデータのすべての値が０であると判定された場合、手続きはステップＳ１５に進み、破棄器２０３は、ＰＢＣＨのデータを無効として、破棄し、ＰＢＣＨのデータの有効の判定の処理は終了する。
【００３１】
端末装置１０２において、ＰＢＣＨのデータのすべての値が０である場合、そのＰＢＣＨのデータが破棄されるので、実際には存在しない基地局の誤検出が防止される。
【００３２】
実際に、すべての値が０であるＰＢＣＨのデータを送信している基地局１０１があった場合でも、systemFrameNumber(ＳＦＮ)データ３０４が、40msごとにカウントアップされるので、すべての値が０であるＰＢＣＨのデータを破棄したとしても40ms後に、いずれかの値が１であるＰＢＣＨのデータが受信できれば、その基地局１０１を検出することができる。また、基地局１０１の送信器１２１が、spare領域３０５のいずれかのビットに１の値が設定されているＰＢＣＨのデータを送信するようにしておけば、ＰＢＣＨのデータのすべての値が０にはならないので、端末装置１０２でのＰＢＣＨのデータの破棄を防ぐことができる。
【００３３】
このように、無線通信の環境が悪い場合であっても、誤検出を減らして、正しい基地局をより早く捕捉できるようになる。
【００３４】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００３５】
図４は、上述した一連の処理をプログラムにより実行するコンピュータのハードウェアの構成例を示すブロック図である。
【００３６】
コンピュータにおいて、ＣＰＵ（Central Processing Unit）５０１，ＲＯＭ（Read Only Memory）５０２，ＲＡＭ（Random Access Memory）５０３は、バス５０４により相互に接続されている。
【００３７】
バス５０４には、さらに、入出力インタフェース５０５が接続されている。入出力インタフェース５０５には、キーボード、マウス、マイクロホンなどよりなる入力部５０６、ディスプレイ、スピーカなどよりなる出力部５０７、ハードディスクや不揮発性のメモリなどよりなる記憶部５０８、ＰＢＣＨ復調・復号器２０１を含むネットワークインタフェースなどよりなる通信部５０９、磁気ディスク、光ディスク、光磁気ディスク、或いは半導体メモリなどのリムーバブルメディア５１１を駆動するドライブ５１０が接続されている。
【００３８】
以上のように構成されるコンピュータでは、ＣＰＵ５０１が、例えば、記憶部５０８に記憶されているプログラムを、入出力インタフェース５０５及びバス５０４を介して、RAM５０３にロードして実行することにより、上述した一連の処理が行われる。
【００３９】
コンピュータ（ＣＰＵ５０１）が実行するプログラムは、例えば、磁気ディスク（フレキシブルディスクを含む）、光ディスク（ＣＤ−ＲＯＭ(Compact Disc-Read Only Memory),ＤＶＤ(Digital Versatile Disc)等）、光磁気ディスク、もしくは半導体メモリなどよりなるパッケージメディアであるリムーバブルメディア５１１に記録して、あるいは、ローカルエリアネットワーク、インターネット、デジタル衛星放送といった、有線または無線の伝送媒体を介して提供される。
【００４０】
そして、プログラムは、リムーバブルメディア５１１をドライブ５１０に装着することにより、入出力インタフェース５０５を介して、記憶部５０８に記憶することで、コンピュータにインストールすることができる。また、プログラムは、有線または無線の伝送媒体を介して、通信部５０９で受信し、記憶部５０８に記憶することで、コンピュータにインストールすることができる。その他、プログラムは、ＲＯＭ５０２や記憶部５０８にあらかじめ記憶しておくことで、コンピュータにあらかじめインストールしておくことができる。
【００４１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００４２】
また、本発明の実施の形態は、上述した実施の形態に限定されるものではなく、本発明の要旨を逸脱しない範囲において種々の変更が可能である。
【符号の説明】
【００４３】
１０１…基地局、１０２…端末装置、１２１…送信器、２０１…ＰＢＣＨ復調・復号器、２０２…有効データ判定器、２０３…破棄器、３０１…下り帯域幅データ、３０２…phich-Durationデータ、３０３…phich-Resourceデータ、３０４…systemFrameNumberデータ、３０５…spare領域、３０６…巡回冗長検査符号、５０１…ＣＰＵ、５０２…ＲＯＭ、５０３…ＲＡＭ、５０８…記憶部、５０９…通信部、５１１…リムーバブルメディア
【図１】
0005424346.tif 000002
【図２】
0005424346.tif 000003
【図３】
0005424346.tif 000004
【図４】
0005424346.tif 000005